(57)【要約】【課題】  入力の商用交流電圧の大きさが変化しても略一定の時間で動作が停止するスイッチング電源とする。【解決手段】  スイッチング電源装置１０の制御部４０は、入力交流電圧ＶＡＣが通電された後に定常値に達した整流直流電圧ＶＤＣの大きさに応じた信号である動作停止電圧検出信号ＳＶ１を検出する動作停止電圧検出器５３と、整流直流電圧の所定時間ごとの大きさに応じた信号である入力電圧検出信号ＳＶ２を検出する入力電圧検出器５２と、を有し、動作停止電圧検出信号ＳＶ１を検出後、入力電圧検出信号ＳＶ２の大きさが動作停止電圧検出信号ＳＶ１の大きさよりも小さくなると、スイッチングトランジスタ１４をＯＦＦとする。【選択図】  図１
2007037380.tif 000002
【特許請求の範囲】
【請求項１】
入力交流電圧を整流して整流直流電圧を得る整流部と、
前記整流直流電圧を導通または切断するスイッチ素子によって交流電圧に変換した後に再び整流して出力直流電圧を得るコンバータ部と、
前記スイッチ素子の導通または切断の時比率を制御する制御部と、を備えるスイッチング電源装置において、
前記制御部は、
前記入力交流電圧が通電された後に定常値に達した前記整流直流電圧の大きさに応じた信号である動作停止電圧検出信号を検出する動作停止電圧検出器と、
前記整流直流電圧の所定時間ごとの大きさに応じた信号である入力電圧検出信号を検出する入力電圧検出器と、を具備し、
前記入力電圧検出信号の大きさが前記動作停止電圧検出信号の大きさよりも小さくなると、前記出力直流電圧の供給を停止させるスイッチング電源装置。
【請求項２】
前記動作停止電圧検出信号は、前記整流電圧を分圧し、該分圧された電圧の最大電圧値をピークホールドするものであり、
前記入力電圧検出信号は、連続した刻々の時間において前記整流電圧を分圧するものである請求項１に記載のスイッチング電源装置。
【請求項３】
入力交流電圧を整流して整流直流電圧を得る整流部と、前記整流直流電圧を導通または切断するスイッチ素子によって交流電圧に変換した後に再び整流して出力直流電圧を得るコンバータ部と、前記スイッチ素子の導通または切断の時比率を制御する制御部と、を備えるスイッチング電源装置の制御方法において、
前記入力交流電圧を通電し、
前記整流直流電圧が定常状態に達した後の前記整流直流電圧に応じた大きさの動作停止電圧検出信号を検出し、
前記整流直流電圧の刻々の電圧に応じた大きさの入力電圧検出信号を検出し、
前記入力電圧検出信号と前記動作停止電圧検出信号との大小を比較し、
前記入力電圧検出信号が前記動作停止電圧検出信号よりも小さくなったときには、前記出力直流電圧の供給を停止するスイッチング電源装置の制御方法。
【発明の詳細な説明】
【技術分野】
【０００１】
本発明は、交流電源から直流電力を得るスイッチング電源装置およびスイッチング電源装置の制御方法に関する。
【背景技術】
【０００２】
近年、家庭電化製品が、広く全世界に普及し、国境を越えて同じ機種が流通する傾向が顕著となっている。これによって、消費者は量産効果の恩恵を受け、品質の良い製品を安く購入することが可能となっている。
【０００３】
このような、全世界対応の製品を供給するには、国ごとあるいは地域ごとに異なるものとなっている商用電源の電圧である、１００Ｖ（ボルト）から２４０Ｖの範囲に対して、対応可能としなければならない。この目的を達するために、損失が少なく、商用電源の電圧値が広範囲に変化した場合でも所定の電圧を得ることができるスイッチング電源装置が広く用いられている。
【特許文献１】特開２００４−３５７４０８号公報
【発明の開示】
【発明が解決しようとする課題】
【０００４】
このようなスイッチング電源装置を電源部に用いる製品は、全世界において用いることができるものであるが、例えば、日本国内のように１００Ｖの場合と欧州地域のように２３０Ｖの場合とでは、商用電源の電圧の違いから商用電源の電力が断たれてから製品の機能が停止するまでの時間に差が出てしまい、種々の問題が生じる。例えば、機器の動作を示すＬＥＤの表示が商用電源の電圧が高い欧州地域では、長時間点灯したままになる等の問題が生じていた。
【０００５】
本発明は、上述の課題に鑑み、電源電圧の違いによらず、商用電源の電力が断たれてから製品の機能が停止するまでの時間、すなわちスイッチング電源から負荷に供給される電力が断たれるまでの時間を略一定時間とできるスイッチング電源装置およびスイッチング電源装置の制御方法を提供することを目的とする。
【課題を解決するための手段】
【０００６】
本発明のスイッチング電源装置は、入力交流電圧を整流して整流直流電圧を得る整流部と、整流直流電圧を導通または切断するスイッチ素子によって交流電圧に変換した後に再び整流して出力直流電圧を得るコンバータ部と、スイッチ素子の導通または切断の時比率を制御する制御部と、を備えるスイッチング電源装置において、制御部は、入力交流電圧が通電された後に定常値に達した整流直流電圧の大きさに応じた信号である動作停止電圧検出信号を検出する動作停止電圧検出器と、整流直流電圧の所定時間ごとの大きさに応じた信号である入力電圧検出信号を検出する入力電圧検出器と、を具備し、入力電圧検出信号の大きさが動作停止電圧検出信号の大きさよりも小さくなると、出力直流電圧の供給を停止させる。
【０００７】
すなわち、このスイッチング電源装置は、入力交流電圧を整流して整流直流電圧を得る整流部と、整流直流電圧を導通または切断するスイッチ素子によって交流電圧に変換した後に再び整流して出力直流電圧を得るコンバータ部と、スイッチ素子の導通または切断の時比率を制御する制御部と、を備え、入力交流電圧を出力直流電圧に変換できる。ここで、制御部は、動作停止電圧検出器と入力電圧検出器とを具備し、以下のように作用する。動作停止電圧検出器は、入力交流電圧が通電された後に定常値に達した整流直流電圧の大きさに応じた信号である動作停止電圧検出信号を検出する。また、入力電圧検出器は、整流直流電圧の所定時間ごとの大きさに応じた信号である入力電圧検出信号を検出する。そして、入力電圧検出信号の大きさが動作停止電圧検出信号の大きさよりも小さくなると、出力直流電圧の供給を停止させ、負荷に供給される電力を断つ。
【０００８】
本発明のスイッチング電源装置の制御方法は、入力交流電圧を整流して整流直流電圧を得る整流部と、整流直流電圧を導通または切断するスイッチ素子によって交流電圧に変換した後に再び整流して出力直流電圧を得るコンバータ部と、スイッチ素子の導通または切断の時比率を制御する制御部と、を備えるスイッチング電源装置の制御方法において、入力交流電圧を通電し、整流直流電圧が定常状態に達した後の整流直流電圧に応じた大きさの動作停止電圧検出信号を検出し、整流直流電圧の刻々の電圧に応じた大きさの入力電圧検出信号を検出し、入力電圧検出信号と動作停止電圧検出信号との大小を比較し、入力電圧検出信号が動作停止電圧検出信号よりも小さくなったときには、出力直流電圧の供給を停止する。
【０００９】
すなわち、このスイッチング電源装置の制御方法は、入力交流電圧を整流して整流直流電圧を得る整流部と、整流直流電圧を導通または切断するスイッチ素子によって交流電圧に変換した後に再び整流して出力直流電圧を得るコンバータ部と、スイッチ素子の導通または切断の時比率を制御する制御部と、を備えるスイッチング電源装置の制御方法において、以下のような処理をおこなう。入力交流電圧を通電する。整流直流電圧が定常状態に達した後の整流直流電圧に応じた大きさの動作停止電圧検出信号を検出する。整流直流電圧の刻々の電圧に応じた大きさの入力電圧検出信号を検出する。そして、入力電圧検出信号と動作停止電圧検出信号との大小を比較し、入力電圧検出信号が動作停止電圧検出信号よりも小さくなったときには、出力直流電圧の供給を停止し、負荷に供給される電力を断つ。
【発明の効果】
【００１０】
本発明によれば、電源電圧の違いによらず、商用電源の電力が断たれてから製品の機能が停止するまでの時間、すなわちスイッチング電源から負荷に供給される電力が断たれるまでの時間を略一定時間とできるスイッチング電源装置およびスイッチング電源装置の制御方法を提供できる。
【発明を実施するための最良の形態】
【００１１】
図１ないし図５に沿って本発明の実施形態の説明を行う。
【００１２】
図１に沿って実施形態のスイッチング電源装置１０の各ブロックの説明をする。スイッチング電源装置１０は、整流部２０とコンバータ部３０と制御部４０とを備える。整流部２０は、入力プラグ１１と電源スイッチ２５とヒューズ２６とＡＣ整流ダイオード１２と１次平滑コンデンサ１３を具備している。入力プラグ１１は、電源スイッチ２５およびヒューズ２６を介してＡＣ整流ダイオード１２の入力側に接続されている。なお、電源スイッチ２５は、安全規格上、入力交流電圧ＶＡＣの導通路の両方をＯＮ／ＯＦＦ（導通・切断）するものである場合もある。ＡＣ整流ダイオード１２の出力側は、１次平滑コンデンサ１３に接続されている。整流部２０の作用の詳細は後述するが要約すると、入力交流電圧ＶＡＣを入力し、整流直流電圧ＶＤＣを出力する。
【００１３】
コンバータ部３０は、トランス１５とスイッチングトランジスタ１４と整流ダイオード１６と２次平滑コンデンサ１７とを具備している。トランス１５の１次巻線Ｎ１の一端は、１次平滑コンデンサ１３の正極（＋の符号を付す）に接続され、トランス１５の１次巻線Ｎ１の他端は、スイッチングトランジスタ１４のコレクタに接続され、スイッチングトランジスタ１４のエミッタは、１次平滑コンデンサ１３の負極（−の符号を付す）に接続されている。また、トランス１５の２次巻線Ｎ２の一端は、整流ダイオード１６のアノードに接続され、整流ダイオード１６のカソードは、２次平滑コンデンサ１７の正極（＋の符号を付す）に接続されている。また、２次平滑コンデンサ１７の負極（−の符号を付す）は２次巻線Ｎ２の他端に接続されている。コンバータ部３０の作用の詳細は後述するが要約すると、整流直流電圧ＶＤＣを入力し、２次平滑コンデンサ１７の両端から出力直流電圧ＶＯＤを出力する。
【００１４】
制御部４０は、入力電圧監視回路２１とスイッチング制御回路２２と出力電圧検出回路２３と動作停止信号発生回路２４とを具備している。制御部４０の作用の詳細は後述するが要約すると、スイッチング制御回路２２および出力電圧検出回路２３は、スイッチングトランジスタ１４を制御して、出力直流電圧ＶＯＤを所定の電圧値とする。また、入力電圧監視回路２１、動作停止信号発生回路２４およびスイッチング制御回路２２は、スイッチング電源装置１０の機能を停止させる制御を行う。なお、入力電圧監視回路２１は、動作停止電圧検出信号ＳＶ１、入力電圧検出信号ＳＶ２およびリセット信号ＳＲＴを出力し、スイッチング制御回路２２は、ホールド信号ＳＨＬを出力し、動作停止信号発生回路２４は、動作停止信号ＳＳＰを出力するものであるが、これらの各々の信号については後述する。
【００１５】
図２に沿って、入力電圧監視回路２１の説明をする。入力電圧監視回路２１は、整流直流電圧ＶＤＣを供給する１次平滑コンデンサ１３の正極に接続される抵抗３１、抵抗３３および抵抗３５と、一端が抵抗３１に接続され他端が１次平滑コンデンサ１３の負極に接続される抵抗３２、一端が抵抗３３に接続され他端が１次平滑コンデンサ１３の負極に接続される抵抗３４および一端が抵抗３５に接続され他端が１次平滑コンデンサ１３の負極に接続される抵抗３６から形成される３組の分圧器を有する。そして、抵抗３５と抵抗３６とで形成される分圧器は、入力電圧検出信号ＳＶ２を発生し、入力電圧検出器５２として機能する。
【００１６】
また、入力電圧監視回路２１は、抵抗３１と抵抗３２の接続点が正極入力端子（＋の符号を付す）に接続され、負極入力端子（−の符号を付す）に基準電源３８が接続されるコンパレータ３７によって形成されるリセット信号発生器５１を有し、リセット信号ＳＲＴを発生させる。
【００１７】
さらに、入力電圧監視回路２１は、動作停止電圧検出器５３を有する。動作停止電圧検出器５３においては、抵抗３３と抵抗３４の接続点がオペアンプ３９の正極入力端子（＋の符号を付す）に接続され、オペアンプ３９の出力がダイオード４４のアノードに接続され、ダイオードのカソードがオペアンプ３９の負極入力端子（−の符号を付す）に接続されている。また、ダイオード４４のカソードがホールドコンデンサ４１に接続されるとともに、ホールドコンデンサ４１に並列に接続されるアナログスイッチ４２を有する。このホールドコンデンサ４１の電圧は、ボルテージフォロワとして働くオペアンプ４３の正極入力端子（＋の符号を付す）に入力され、このボルテージフォロワの出力として動作停止電圧検出信号ＳＶ１を出力する。ここで、アナログスイッチ４２のＯＮ／ＯＦＦ（導通・切断）は、ホールド信号ＳＨＬによって制御されるようになされている。
【００１８】
そして、図１に示す動作停止信号発生回路２４は、しきい値コンパレータ（図示せず）で構成されており、しきい値コンパレータの正極入力端子には、入力電圧検出信号ＳＶ２が入力され、負極入力端子には、動作停止電圧検出信号ＳＶ１が入力されている。そして、しきい値コンパレータの出力端子からは動作停止信号ＳＳＰが出力されるようになされている。
【００１９】
入力電圧監視回路２１および動作停止信号発生回路２４の作用の詳細は後述するが、要約すると、入力プラグ１１がコンセント（図示せず）から抜かれたとき、または、電源スイッチ２５が切断されたとき（以下、両方のケースを、電源スイッチ２５が切断されたときによって代表して記載する）、スイッチングトランジスタ１４を制御して、入力交流電圧ＶＡＣが、１００Ｖであったか２４０Ｖであったかにかかわらず略一定時間後にスイッチング電源装置１０の機能を停止させる。
【００２０】
上述の構成を有してなるスイッチング電源装置１０の作用を以下の順で、より詳細に説明する。まず、整流部２０の作用を説明する。次に、コンバータ部３０と制御部４０のスイッチング制御回路２２および出力電圧検出回路２３によって構成される制御系の作用を説明する。そして、最後に本実施形態の要部である、入力電圧監視回路２１、動作停止信号発生回路２４およびこれに関連するスイッチング制御回路２２の作用を説明する。
【００２１】
整流部２０は、電源スイッチ２５をＯＮ（導通）とすることによって、入力プラグ１１からの入力交流電圧ＶＡＣがＡＣ整流ダイオード１２の入力側に印加され、ＡＣ整流ダイオード１２の出力側には、入力交流電圧ＶＡＣの周期の半分の周期の全波整流された脈流電圧が生じるが、１次平滑コンデンサ１３によって、略ピーク値まで充電されて、１次平滑コンデンサの両端に整流直流電圧ＶＤＣが生じる。この整流直流電圧ＶＤＣの値は、入力交流電圧ＶＡＣ（実効値）の略√２倍の値となっている。具体的には、このスイッチング電源装置１０から負荷（図示せず）に電力が供給されていない場合には、整流直流電圧ＶＤＣの値は、入力交流電圧ＶＡＣが１００Ｖである場合には、略１４０Ｖ、入力交流電圧ＶＡＣが２３０Ｖである場合には、略３２０Ｖとなっている。
【００２２】
また、負荷に供給される電力の量が増加するに従って、上述の整流直流電圧ＶＤＣの値は、低減する。また、電源スイッチ２５を切断すると、整流直流電圧ＶＤＣの値は、時間とともに、略指数関数的に低減する。
【００２３】
次にコンバータ部３０の作用を説明する。コンバータ部３０は、所謂、ＯＮ／ＯＦＦ型のスイッチングレギュレータを構成している。すなわち、スイッチングトランジスタ１４がＯＮ、すなわち、スイッチングトランジスタ１４のコレクタとエミッタとが導通し、１次巻線Ｎ１に電流が流れているときに、整流ダイオード１６に電流は流れず、スイッチングトランジスタ１４のコレクタとエミッタとが切断し、１次巻線Ｎ１に電流が流れていないときに、整流ダイオード１６に電流は流れる。このような動作は１次巻線Ｎ１と２次巻線Ｎ２との極性を図１に黒丸印で示すように選択することによって実現される。ここで各々の黒丸印は巻始めを表すものである。
【００２４】
スイッチング制御回路２２は、出力電圧検出回路２３からの出力直流電圧ＶＯＤに応じた信号と基準電圧源（図示せず）からの電圧との差を検出し増幅する誤差増幅器（図示せず）と、誤差増幅器からの誤差信号に位相補償を施す位相補償器（図示せず）と、この位相補償器を通過した誤差信号に応じてＰＷＭ（Ｐｕｌｓ  Ｗｉｄｔｈ  Ｍｏｄｕｌａｔion）変調器（図示せず）と、ＰＷＭ変調器からの信号と動作停止信号ＳＳＰとを各々入力信号とするＡＮＤ（アンド）回路と、を有している。なお、出力電圧検出回路２３は抵抗からなる分圧器である。そして、スイッチングトランジスタ１４のＯＮの時比率をＤ１、スイッチングトランジスタ１４のＯＦＦの時比率をＤ２、１次巻線Ｎ１と２次巻線Ｎ２の巻線比をｍとすると、出力直流電圧ＶＯＤと整流直流電圧ＶＤＣの関係は理論上では式１で表せる。
【００２５】
（式１）
ＶＯＤ＝ＶＤＣ×Ｄ１／（ｍ×Ｄ２）
【００２６】
（式１）から明らかなように、時比率Ｄ１、時比率Ｄ２を変化させることによって、整流直流電圧ＶＤＣの値は可変とできるが、フィードバック制御系を構成しているので、出力直流電圧ＶＯＤに応じた信号と基準電圧源（図示せず）からの電圧との差を零とするように制御がされ、出力直流電圧ＶＯＤは所定の値に維持される。そして、出力直流電圧ＶＯＤが製品の各部に供給されることによって所定の機能を発揮する。
【００２７】
次に、入力電圧監視回路２１および動作停止信号発生回路２４およびこれに関連するスイッチング制御回路２２の作用を説明する。
【００２８】
入力電圧監視回路２１に配された、リセット信号発生器５１の作用を説明する。リセット信号発生器５１は、所謂、パワーオン・リセット信号であるリセット信号ＳＲＴを以下のようにして発生させる。整流直流電圧ＶＤＣは電源スイッチ２５をＯＮにすると、徐々にその値を大きくし、やがて、定常値に落ち着く、この過程で、抵抗３１および抵抗３２で分圧された信号である整流直流電圧ＶＤＣに応じた信号の大きさが、基準電源３８よりも大きくなって、その瞬間にリセット信号ＳＲＴがローレベルからハイレベルに変化する。このリセット信号ＳＲＴは、スイッチング制御回路２２に内蔵されるタイマー回路（図示せず）を働かせ、整流直流電圧ＶＤＣが定常値に達するに十分な時間である所定時間の経過後に、このタイマー回路は、ホールド信号ＳＨＬをローレベルからハイレベルに変化させる。
【００２９】
入力電圧監視回路２１に配された、動作停止電圧検出器５３の作用を説明する。アナログスイッチ４２は、リセット信号ＳＲＴがローレベルからハイレベルに変化してから所定時間を経過するまでは、ホールド信号ＳＨＬがローレベルであるのでＯＮとされている。そして所定時間を経過した後にホールド信号ＳＨＬがハイレベルとなってアナログスイッチ４２をＯＦＦとする。これにより、ホールドコンデンサの両端に整流直流電圧ＶＤＣに応じた信号がピークホールドされる。
【００３０】
動作停止信号発生回路２４の作用を説明する。動作停止信号発生回路２４に配された、しきい値コンパレータの正極入力端子には、入力電圧検出信号ＳＶ２が入力され、負極入力端子には、動作停止電圧検出信号ＳＶ１が入力されているので、電源スイッチ２５をＯＮとしてから以降は、しきい値コンパレータの出力、すなわち動作停止信号ＳＳＰは、ハイレベルに保たれている（図３の（Ｂ）を参照）。そして、スイッチング制御回路２２のＰＷＭ変調器の出力と動作停止信号ＳＳＰとが入力されたＡＮＤ回路の出力は、ＰＷＭ変調器からの出力に応じて時比率Ｄ１、時比率Ｄ２を変化させて、これに応じてスイッチングトランジスタ１４を制御する。このようにして、スイッチング電源装置１０を有する製品の各部に対して電力の供給が開始される。
【００３１】
以上は、電源スイッチ２５をＯＮとしてから後のスイッチング電源装置１０の各部の作用であるが、このようにして、動作しているスイッチング電源装置１０の電源スイッチ２５をＯＦＦとする場合の作用について、さらに、図３ないし図６に沿って説明を加える。
【００３２】
図３に沿って、入力交流電圧ＶＡＣが１００Ｖにおける電源スイッチ２５をＯＦＦとしたときの各部の波形について説明する。図３は、入力交流電圧ＶＡＣが１００Ｖにおける各部の信号を示すものであり、図３の（Ａ）は、入力交流電圧ＶＡＣを示し、図３の（Ｂ）は、入力電圧検出信号ＳＶ２および動作停止電圧検出信号ＳＶ１を示し、図３の（Ｃ）は、動作停止信号ＳＳＰを示すものである。
【００３３】
すなわち、時刻ｔ１で電源スイッチをＯＦＦとすると、図３の（Ａ）に示す入力交流電圧ＶＡＣは零となる。このとき、図３の（Ｂ）に示す入力電圧検出信号ＳＶ２は、整流直流電圧ＶＤＣを抵抗３５および抵抗３６で分圧したものであるので、整流直流電圧ＶＤＣと同じ時定数の指数関数に従い、時間とともに低減する。一方、動作停止電圧検出信号ＳＶ１は、ホールドコンデンサ４１によってピークホールドされているので変化することはない。そして、時刻ｔ２において、入力電圧検出信号ＳＶ２は動作停止電圧検出信号ＳＶ１を下回り、しきい値コンパレータからの動作停止信号ＳＳＰがハイレベルからローレベルに変化する。そして、スイッチングトランジスタ１４はスイッチングの動作を停止し、製品の各部に供給される出力直流電圧ＶＯＤは急速に零に近づく。
【００３４】
図４に沿って、入力交流電圧ＶＡＣが２３０Ｖにおける電源スイッチ２５をＯＦＦとしたときの各部の波形について説明する。図４の（Ａ）は、入力交流電圧ＶＡＣを示し、図４の（Ｂ）は、入力電圧検出信号ＳＶ２および動作停止電圧検出信号ＳＶ１を示し、図４の（Ｃ）は、動作停止信号ＳＳＰを示すものである。
【００３５】
時刻ｔ３で電源スイッチをＯＦＦとすると、各部の波形は図３の（Ａ）ないし図３の（Ｃ）と対応した波形となる。すなわち、図４の（Ａ）は、図３の（Ａ）に、図４の（Ｂ）は、図３の（Ｂ）に、図４の（Ｃ）は、図３の（Ｃ）に、各々対応する。ここで、注目すべき点は、時刻ｔ３からスイッチング電源装置１０が機能を停止する時刻ｔ４までの時間Ｔ２の大きさが略、時間Ｔ１と等しくなっている点である。これは、定常状態における整流直流電圧ＶＤＣの大きさに応じて動作停止電圧検出信号ＳＶ１の大きさも大きくしていることに起因している。
【００３６】
図５に本実施形態における、しきい値コンパレータの負極入力端子に入力されるしきい値の定め方を示す。すなわち、しきい値は、整流直流電圧ＶＤＣをピークホールドしたものであるので、入力交流電圧ＶＡＣに略比例した値となる。また、図２に示す抵抗３３および抵抗３４の分圧比が、抵抗３５および抵抗３６の分圧比よりも大きいために、定常状態においては、入力電圧検出信号ＳＶ２の大きさが、動作停止電圧検出信号ＳＶ１よりも大きなものとなっている。比較のために、しきい値を固定値ＳＶＫとした場合を破線で示す。
【００３７】
また、比較例として、入力交流電圧ＶＡＣが１００Ｖのときの動作停止電圧検出信号ＳＶ１の値を固定値ＳＶＫとして用い、入力交流電圧ＶＡＣが２３０Ｖのときの、時刻ｔ５で電源スイッチをＯＦＦとし、スイッチング電源装置１０が機能を停止する時刻ｔ６までの時間Ｔ３を図６に示す。ここで、図６の（Ａ）は、図３の（Ａ）に、図６の（Ｂ）は、図３の（Ｂ）に、図６の（Ｃ）は、図３の（Ｃ）に、各々対応するものであるが、図６の（Ｂ）に示すしきい値の値は固定値ＳＶＫとなっている。
【００３８】
上述のように、この実施形態のスイッチング電源装置１０においては、入力交流電圧ＶＡＣの大きさに応じてしきい値の値を変化させるので、日本国内のように１００Ｖの場合と欧州地域のように２３０Ｖの場合とにかかわらず、商用電源の電力が断たれてから製品の機能が停止するまでの時間に大きな差が出ることはない。この結果、例えば、商用電源の電圧が高い欧州地域においても、機器の動作を示すＬＥＤの表示が長時間点灯したままになる等の問題の発生を防止できる。
【００３９】
本発明は、当然、上述の実施形態に限定されるものではなく、種々の態様を含むものであり、他の実施形態の一例を以下に、例示する。
【００４０】
実施形態において、コンバータ部は、昇圧型、トランスを用いたＯＮ／ＯＦＦ型のコンバータ部としたが、コンバータ部は、昇圧型に限らず、降圧型としても良く、トランスを用いずにインダクタを用いるものとしても良く、また、トランスを用いる場合においては、ＯＮ／ＯＦＦ型のみならず、ＯＮ／ＯＮ型としても良い。
【００４１】
また、本実施形態において、動作停止電圧検出信号の検出回路は、定常電圧に達した後の整流直流電圧を抵抗によって分圧し、その分圧された電圧の最大電圧値をピークホールド回路によりピークホールドするものとし、ピークホールド回路は、ダイオードとホールドコンデンサとにより形成し、整流直流電圧ＶＤＣが定常電圧に達した後に、ホールドコンデンサのリセットを解除するようにしたが、Ａ／Ｄ変換回路とデジタルメモリを備え、入力交流電圧通電後の所定時間後に分圧された整流直流電圧のＡ／Ｄ変換を行い、このときの値をデジタルメモリに記憶するものとしても良い。このようにして、デジタル値として動作停止電圧検出信号ＳＶ１の大きさを記憶すれば、ホールドコンデンサ４１に記憶する場合に生じる自然放電によるピークホールド値の誤差、ホールドコンデンサ４１に接続される電気部品からの漏れ電流によるピークホールド値の誤差が発生せず、より高性能のものとすることができる。
【００４２】
さらに、上述の実施形態では、入力電圧検出信号ＳＶ２の検出回路は、連続した刻々の時間において整流電圧を分圧するものとしたが、入力交流電圧ＶＡＣの通電後から、所定時間間隔ごとに整流直流電圧ＶＤＣを分圧した電圧のＡ／Ｄ変換を行い、上述したデジタルメモリに記憶された値と大小を比較するものであっても良い。
【００４３】
さらにまた、動作停止電圧検出信号ＳＶ１は、整流直流電圧ＶＤＣを分圧した電圧さらに低域濾波器によって濾波した濾波整流直流電圧とするものとしても良い。この場合には、低域濾波器の時定数を整流部の有する放電時定数よりも十分長くして、電源スイッチ２５が切断された後、入力電圧検出信号ＳＶ２の大きさが濾波整流直流電圧の大きさよりも小さくなるまで、濾波整流直流電圧は、略一定値を維持するようにするものとする。このようにすれば、上述のアナログスイッチ４２を用いる必要がなくなるので、ホールド信号ＳＨＬを不要とすることができ、より簡便な回路とすることができる。なお。この場合の低域濾波器は抵抗とコンデンサとからなる１次遅れ回路として構成することができる。
【００４４】
また、本実施形態において、整流部は、全波整流回路としたが、全波整流に限らず半波整流回路としても良く、等倍電圧整流のみならず、所定倍数の倍電圧整流回路としても良い。
【図面の簡単な説明】
【００４５】
【図１】実施形態のスイッチング電源装置１０のブロック図を示すものである。
【図２】実施形態のスイッチング電源装置１０の入力電圧監視回路２１に含まれる各回路を示すものである。
【図３】入力交流電圧ＶＡＣが１００Ｖにおける各部の信号を示すものであり、図３の（Ａ）は、入力交流電圧ＶＡＣを示し、図３の（Ｂ）は、入力電圧検出信号ＳＶ２および動作停止電圧検出信号ＳＶ１を示し、図３の（Ｃ）は、動作停止信号ＳＳＰを示すものである。
【図４】入力交流電圧ＶＡＣが２３０Ｖにおける各部の信号を示すものであり、図４の（Ａ）は、入力交流電圧ＶＡＣを示し、図４の（Ｂ）は、入力電圧検出信号ＳＶ２および動作停止電圧検出信号ＳＶ１を示し、図４の（Ｃ）は、動作停止信号ＳＳＰを示すものである。
【図５】動作停止電圧検出信号ＳＶ１および固定値ＳＶＫの各々をしきい値とするときの、入力交流電圧ＶＡＣに対する値を表すものである。
【図６】入力交流電圧ＶＡＣが２３０Ｖにおける各部の信号を示すものであり、図６の（Ａ）は、入力交流電圧ＶＡＣを示し、図６の（Ｂ）は、入力電圧検出信号ＳＶ２および固定値ＳＶＫを示し、図６の（Ｃ）は、動作停止信号ＳＳＰを示すものである。
【符号の説明】
【００４６】
１０  スイッチング電源装置、１２  ＡＣ整流ダイオード、１３  １次平滑コンデンサ、
１４  スイッチングトランジスタ、１５  トランス、１６  整流ダイオード、
１７  次平滑コンデンサ、２０  整流部、２１  入力電圧監視回路、２２  スイッチング制御回路、２３  出力電圧検出回路、２４  動作停止信号発生回路、２５  電源スイッチ、
２６  ヒューズ、３０  コンバータ部、３１、３２、３３、３４、３５、３６  抵抗、３７  コンパレータ、
３８  基準電源、３９  オペアンプ、４０  制御部、４１  ホールドコンデンサ、
４２  アナログスイッチ、４３  オペアンプ、４４  ダイオード、５１  リセット信号発生器、
５２  入力電圧検出器、５３  動作停止電圧検出器、Ｎ１  １次巻線、Ｎ２  次巻線、
ＳＨＬ  ホールド信号、ＳＲＴ  リセット信号、ＳＳＰ  動作停止信号、
ＳＶ１  動作停止電圧検出信号、ＳＶ２  入力電圧検出信号、ＶＡＣ  入力交流電圧、
ＶＤＣ  整流直流電圧、ＶＯＤ  出力直流電圧
【図１】
2007037380.tif 000003
【図２】
2007037380.tif 000004
【図３】
2007037380.tif 000005
【図４】
2007037380.tif 000006
【図５】
2007037380.tif 000007
【図６】
2007037380.tif 000008